(57)【要約】【課題】表示装置の光源の状態に応じて光源の駆動条件を設定する技術を提供する。【解決手段】表示装置において、光源駆動部は、設定された駆動条件で光源ユニットを駆動する。光源検査部１０２は、光源ユニットの特性を検査する。駆動条件設定部１０３は、光源検査部１０２が検査した光源ユニットの特性に基づいて、光源ユニットの駆動条件を設定する。光源駆動部は、駆動条件設定部１０３が光源ユニットの駆動条件を設定した場合、設定後の駆動条件で光源ユニットを駆動してもよい。【選択図】図２
2017227707.tif 000002
【特許請求の範囲】
【請求項１】
設定された駆動条件で光源ユニットを駆動する光源駆動手段と、
前記光源ユニットの特性を検査する光源検査手段と、
前記光源検査手段が検査した前記光源ユニットの特性に基づいて、前記光源ユニットの駆動条件を設定する駆動条件設定手段と、
を備えることを特徴とする表示装置。
【請求項２】
前記光源駆動手段は、前記駆動条件設定手段が前記光源ユニットの駆動条件を設定した場合、設定後の駆動条件で前記光源ユニットを駆動することを特徴とする請求項１に記載の表示装置。
【請求項３】
前記駆動条件設定手段は、前記光源ユニットの光源の駆動時間の累計が所定の時間となった場合に前記光源が所定の特性を満たすように、前記光源ユニットの駆動条件を設定することを特徴とする請求項１又は２に記載の表示装置。
【請求項４】
前記光源検査手段は、前記光源ユニットを所定の駆動条件で駆動した場合における光源の物理特性を測定することを特徴とすることを特徴とする請求項１から３のいずれか一項に記載の表示装置。
【請求項５】
光源を所定の駆動条件で駆動したときの前記光源の物理特性の時間変化を表す特性情報を記憶する記憶手段から前記特性情報を読み出す特性情報取得手段をさらに備え、
前記駆動条件設定手段は、前記特性情報を参照して、前記光源の初期の物理特性に対する前記光源検査手段が検査した物理特性の変化に基づいて、前記光源ユニットの駆動条件を設定することを特徴とする請求項４に記載の表示装置。
【請求項６】
前記駆動条件設定手段は、前記特性情報を参照して、前記光源の駆動時間の累計が所定の時間となった場合に前記光源の物理特性が所定の値を維持するように、前記光源ユニットの駆動条件を設定することを特徴とする請求項５に記載の表示装置。
【請求項７】
前記記憶手段は前記光源ユニットに備えられており、
前記光源検査手段が測定した前記光源の物理特性を前記記憶手段に記憶させる特性格納手段をさらに備えることを特徴とする請求項５又は６に記載の表示装置。
【請求項８】
前記光源の光量を測定する光量測定手段をさらに備え、
前記光源検査手段は、前記光源の物理特性として前記光量測定手段に前記光源の光量を測定させることを特徴とする請求項７に記載の表示装置。
【請求項９】
前記駆動条件設定手段は、前記特性情報を参照して、前記光源の駆動時間の累計が所定の時間となった場合に前記光源の光量が所定の値以上となるように、前記光源ユニットの駆動条件を設定することを特徴とする請求項７に記載の表示装置。
【請求項１０】
前記光源検査手段は、前記光源ユニットに対して一定量の電流を流した場合における前記光源の物理特性を測定することを特徴とすることを特徴とする請求項４から９のいずれか一項に記載の表示装置。
【請求項１１】
前記光源検査手段は、前記光源ユニットを一定の電力で駆動した場合における前記光源の物理特性を測定することを特徴とすることを特徴とする請求項４から９のいずれか一項に記載の表示装置。
【請求項１２】
前記光源ユニットの検査のタイミングを検出する検査検出手段をさらに備え、
前記光源検査手段とは、前記検査検出手段が前記光源ユニットの検査のタイミングを検出した場合、前記光源ユニットの特性を検査することを特徴とする請求項１から１１のいずれか一項に記載の表示装置。
【請求項１３】
前記検査検出手段は、光源ユニットが取り外された後に取り付けられたことを検出したタイミングを、光源ユニットの検査をすべきタイミングとして検出することを特徴とする請求項１２に記載の表示装置。
【請求項１４】
設定された駆動条件で光源ユニットを駆動するステップと、
前記光源ユニットの特性を検査するステップと、
前記光源ユニットの特性に基づいて、前記光源ユニットの駆動条件を設定するステップと、
をプロセッサが実行することを特徴とする表示方法。
【請求項１５】
表示装置の光源を提供する光源ユニットであって、
光源と、
前記光源を所定の駆動条件で駆動したときの前記光源の物理特性の時間変化を表す特性情報と、前記光源ユニットを駆動する表示装置によって測定された前記所定の駆動条件における前記光源の光量と、を記憶するための記憶手段と、
を備えることを特徴とする光源ユニット。
【発明の詳細な説明】
【技術分野】
【０００１】
本発明は、表示装置及び表示方法に関し、特に、入力信号を画像表示光に変換して投影面に投影する技術に関する。
【背景技術】
【０００２】
近年、投写型の表示装置が広く普及している。このような投写型の表示装置の中には、光源となるランプの交換を容易にするため、カートリッジ式のランプユニットを利用するものも提案されている。特許文献１には、ランプが寿命を迎えたときに新しいランプに交換することに関する技術が開示されている。
【先行技術文献】
【特許文献】
【０００３】
【特許文献１】特開２００６−２０１６４５号公報
【発明の概要】
【発明が解決しようとする課題】
【０００４】
一方、近年では、ＬＥＤ（Light Emitting Diode）やＬＤ（Laser Diode）等の固体光源を搭載した投写型の表示装置が販売されている。表示装置の光源として固体光源を採用する場合、従来の高圧水銀ランプ等を光源とする場合とに比べて、光源の寿命を伸ばすことも可能となっている。このように光源の寿命が伸びると、光源が寿命を迎える前に、表示装置本体が寿命を迎える場合もありうる。
【０００５】
寿命を迎えていない光源は、別の表示装置に取り付けて使用することができる。このような光源を別の表示装置に取り付けて使用する場合、新しい光源を取り付ける場合とは異なり、その光源は初期性能を備えていないことも多いと考えられる。そうすると、取り付ける光源の状態によっては、取り付け先の別の表示装置本体が寿命を迎える前に、光源が寿命を迎えることも生じかねない。このほかにも、光源の寿命が伸びることにより、光源の経年変化によってその駆動条件が変化することもあると考えられる。
【０００６】
本発明は上述した点に鑑みてなされたものであり、表示装置の光源の状態に応じて光源の駆動条件を設定する技術を提供することを目的とする。
【課題を解決するための手段】
【０００７】
上記の課題を解決するために、本発明の表示装置は、設定された駆動条件で光源ユニットを駆動する光源駆動手段と、前記光源ユニットの特性を検査する光源検査手段と、前記光源検査手段が検査した前記光源ユニットの特性に基づいて、前記光源ユニットの駆動条件を設定する駆動条件設定手段と、を備えることを特徴とする。
【０００８】
本発明の別の態様は、表示方法である。この方法は、設定された駆動条件で光源ユニットを駆動するステップと、前記光源ユニットの特性を検査するステップと、前記光源ユニットの特性に基づいて、前記光源ユニットの駆動条件を設定するステップと、をプロセッサが実行することを特徴とする。
【０００９】
本発明のさらに別の態様は、表示装置の光源を提供する光源ユニットである。この光源ユニットは、光源と、前記光源を所定の駆動条件で駆動したときの前記光源の物理特性の時間変化を表す特性情報と、前記光源ユニットを駆動する表示装置によって測定された前記所定の駆動条件における前記光源の光量と、を記憶するための記憶手段と、を備えることを特徴とする。
【発明の効果】
【００１０】
本発明によれば、表示装置の光源の状態に応じて光源の駆動条件を設定する技術を提供することができる。
【図面の簡単な説明】
【００１１】
【図１】第１の実施の形態に係る表示装置の内部構成を模式的に示す図である。
【図２】第１の実施の形態に係る制御部の機能構成を模式的に示す図である。
【図３】駆動条件設定部による光源ユニットの駆動条件の設定処理を説明するための図である。
【図４】駆動条件設定部による光源ユニットの駆動条件の設定処理を説明するための別の例を示す図である。
【図５】第１の実施の形態に係る表示装置が実行する表示処理の流れを説明するためのフローチャートである。
【発明を実施するための形態】
【００１２】
＜第１の実施の形態＞
第１の実施の形態の概要を述べる。第１の実施の形態に係る表示装置は、映像信号を画像表示光に変換してスクリーンに投写する投写型の表示装置である。第１の実施の形態に係る表示装置は、画像表示光を生成するための光源を取り外して他の光源と交換したり、取り外した光源を再び取り付けて使用したりすることができるように構成されている。
【００１３】
一般に光源は使用されることにより、又は経年変化によって、その特性が変化する。ここで「光源の特性」とは、光源を所定の条件で駆動した場合における光源の物理特性である。より具体的には、光源を所定の駆動条件で駆動した場合における光源の光量や発熱量、駆動電流、内部抵抗等の特性である。
【００１４】
ここで「光源を所定の駆動条件で駆動する」とは、光源を一定の電力を点灯させる、或いは光源に対して一定の電流を流す、或いは光源に対して一定の電圧を付与する、のいずれであっても構わない。また、予め設定した変化（電力の変化、電流量の変化、電圧の変化）を加えた上で光源を制御する場合も含めてもよい。要するに、第１の実施の形態に係る表示装置は、電力、電流、電圧を一定に保つ、あるいは既知の変化をさせるように制御した上で、光源の物理特性を測定する。その測定結果に基づいて、表示装置は光源の寿命を所定の値（所定値以上の値）にするための光源の制御を実行する。第１の実施の形態に係る表示装置は投写型の表示装置であるため、光源の光量が必要量確保できることが好ましい。そのため、光源の光量や、光量を間接的に特定するための物理特性は、光源を制御するための指標となり得る。
【００１５】
以下本明細書においては、光源に入力する電流値又は光源に印加する電圧値を制御することにより、駆動条件を制御するものとする。
【００１６】
第１の実施の形態に係る表示装置は、光源が取り外され、その後取り付けられた場合、取り付け後の光源の特性を検査するように構成されている。第１の実施の形態に係る表示装置はさらに、取り付け後の光源の検査結果に基づいて光源の駆動条件を設定するように構成されてもよい。これにより、第１の実施の形態に係る表示装置は、例えば光源の交換やメンテナンス等の理由で光源が取り外されたとしても、取り付け後の光源の物理特性に適した駆動条件で光源を駆動することができる。
【００１７】
［表示装置の機能構成］
以下、第１の実施の形態に係る表示装置についてより詳細に説明する。
図１は、第１の実施の形態に係る表示装置１００の内部構成を模式的に示す図である。第１の実施の形態に係る表示装置１００は、映像信号入力部１、映像信号処理部２、液晶駆動部３、電源部４、光源駆動部５、光源ユニット６、光学ユニット７、投射レンズ８、制御部１０、操作パネル１１、本体記憶部１２、光量測定部１３、及び取り外し検出部１４を備える。また光源ユニット６は、光源６１と光源記憶部６２とを備える。
【００１８】
映像信号入力部１は、ＰＣ（Personal Computer）等の外部機器から映像信号の入力を受け付ける。映像信号入力部１はＶＧＡ（Video Graphics Array）やビデオ信号などのアナログ信号をデジタル信号に変換するＡＤ変換（Analog-Digital）や、ＨＤＭＩ（High-Definition Multimedia Interface；登録商標）やＤＶＩ（Digital Visual Interface；登録商標）などのデジタル信号を所定のデジタル映像信号に変換するレシーバ等からなる。
【００１９】
映像信号処理部２は、映像信号入力部１が変換したデジタル映像信号を取得する。映像信号処理部２は、映像信号を処理するためのＤＳＰ（Digital Signal Processor）等で構成される。映像信号処理部２は、映像信号入力部１から取得したデジタル映像信号を所定の解像度に変換するスケーリング処理や、デジタル映像信号の台形補正（キーストン補正）処理、表示装置１００の使用者が操作パネル１１を介して実行したボタン操作に基づくメニュー表示等の処理を実行する。
【００２０】
液晶駆動部３は、映像信号処理部２が所定フォーマットに変換したデジタル信号を取得する。液晶駆動部３は、取得したデジタル信号を、操作パネル１１内の液晶パネル（不図示）を駆動するための液晶駆動信号に変換する。
電源部４は、表示装置１００の外部から入力される交流電源を直流電源に変換する。電源部４は、表示装置１００内の各部に電源を供給する。電源部４はＰＦＣ（Power Factor Correction）回路も備えており、表示装置１００の力率改善にも寄与する。
【００２１】
光源駆動部５は、一般的にはＤＣ／ＤＣコンバータ等の電源回路で構成される。光源駆動部５はまた、光源ユニット６における光源６１を点灯させるための駆動回路でもあり、制御部１０からの制御に基づいて、光源６１を駆動するための駆動条件を制御する。詳細は後述するが、光源駆動部５は、設定された駆動条件で光源ユニット６における光源６１を駆動する。
【００２２】
光源ユニット６は使用者が交換可能なように構成されている。光源ユニット６は、光源６１や保持部材、電源供給のためのコネクタ等を備える。光源６１はＬＤからなり、高輝度化のために複数のＬＤを備えてもよい。なお光源記憶部６２は、光源６１を所定の駆動条件で駆動したときの光源６１の物理特性の時間変化を表す特性情報、光源ユニット６に固有の識別情報、光源ユニット６の駆動に関する情報、光源ユニット６の使用履歴情報、光源ユニット６の取り外しの履歴等を記憶する。なお、「所定の駆動条件」については後述する。
【００２３】
取り外し検出部１４は、光源ユニット６が取り外されたことを検出するためのスイッチを含む。取り外し検出部１４は、光源ユニット６が表示装置１００に取り付けられているか、あるいは光源ユニット６が表示装置１００から取り外されているかを示す信号を、制御部１０に通知する。
【００２４】
光学ユニット７は、図示しない蛍光体、照明光学素子、液晶パネル、色分離部、色合成部等から構成される。光源６１の光はＬＤの光であるため、その光は単色光である。そこで光学ユニット７は、光源６１の光の一部を蛍光体に照射して励起することにより、他の色の光を発生させる。その後、光学ユニット７中のフライアイレンズ等の照明光学素子によって均一化された光は、色分離部によってＲＧＢの三色に分離される。
【００２５】
色分離部が分離した光は、透過型あるいは反射型等の液晶パネルに照射される。液晶パネルは、液晶駆動部３の駆動に応じて、光の透過率あるいは反射率が変えられる。色合成部は、液晶パネルのカラーフィルタを透過した赤（Ｒ）緑（Ｇ）青（Ｂ）それぞれの透過光あるいは反射光を合成することにより、画像表示光を生成する。
【００２６】
なお、光源ユニット６は、単色のＬＤに加えて他の色で発光するＬＤを備えてもよい。この場合、光源ユニット６が単色のＬＤを備える場合と比べて蛍光体の一部を省略することができる。あるいは、光源ユニット６は、ＬＤに代えてＬＥＤを光源として蛍光体を使用しない構成としてもよい。
投射レンズ８は、光学ユニット７が生成した画像表示光を拡大してスクリーンＳに投写する。これにより、スクリーンＳ上に投影画像が表示される。
【００２７】
制御部１０はマイクロコンピュータ等のＣＰＵ（Central Processing Unit）や作業メモリで構成された計算リソースである。制御部１０は、表示装置１００の各部を制御する。制御部１０は、例えば光源駆動部５へ制御信号を送信することにより、光源６１の点灯・消灯制御や、各回路への電源供給制御、あるいは冷却用のファンの駆動等を制御する。その他にも、制御部１０は、表示装置１００の内部の温度異常時に光源６１を消灯したり、警告用ＬＥＤを点灯したりすることによって、表示装置１００の使用者に対して異常を知らせる。
【００２８】
制御部１０は本体記憶部１２と接続している。本体記憶部１２は表示装置１００の設定データ等を記録しており、制御部１０は本体記憶部１２からそれらのデータを読み出して表示装置１００の各部を制御する。制御部１０はまた、表示装置１００の異常発生時の状態記録（エラーコードの記録）等を本体記憶部１２に記録する。
【００２９】
操作パネル１１は、表示装置１００の電源オン／オフ等のための操作や、表示装置１００の状態を使用者に知らせるためのＬＥＤ等で構成される。制御部１０は、操作パネル１１においてなされた操作を実現するために必要な表示装置１００の各部の制御を実行する。図示はしないが、表示装置１００はリモコン用の受光センサを備えることにより、リモコンを介して表示装置１００の遠隔操作を受け付けるようにしてもよい。
光量測定部１３は、光源６１の光量を測定する。このため光量測定部１３は表示装置１００の内部に配置され、制御部１０と接続されている。
【００３０】
［制御部１０の機能構成］
図２は、第１の実施の形態に係る制御部１０の機能構成を模式的に示す図である。制御部１０は、検査検出部１０１、光源検査部１０２、駆動条件設定部１０３、駆動制御部１０４、特性情報取得部１０５、及び特性格納部１０６を備える。
【００３１】
検査検出部１０１は、光源ユニット６の検査をすべきタイミングを検出する。より具体的には、検査検出部１０１は、光源ユニット６が取り外されたことを示す信号を取り外し検出部１４から受信した後に、光源ユニット６が取り付けられたことを示す信号を取り外し検出部１４から受信した場合、光源ユニット６の検査の必要があるタイミングであると検出する。光源検査部１０２は、検査検出部１０１が光源ユニット６の検査の必要性を検出した場合、光源６１の特性を検査する。なお、光源ユニット６の特性の検査とは、光源６１の物理特性の検査を意味する。
【００３２】
駆動条件設定部１０３は、光源検査部１０２が検査した光源ユニット６の特性に基づいて、光源ユニット６の駆動条件を設定する。駆動制御部１０４は、駆動条件設定部１０３が駆動条件を設定した場合、設定後の駆動条件で光源駆動部５に光源ユニット６を駆動させる。なお駆動制御部１０４は、駆動条件設定部１０３が駆動条件を設定する前は、あらかじめ設定された駆動条件で、光源駆動部５に光源ユニット６を駆動させる。
【００３３】
ここで、検査検出部１０１は、表示装置１００から取り外された後に取り付けられた光源ユニット６が、取り外される前の光源ユニット６と異なる場合であっても、また同一の場合であっても、取り付け後の光源ユニット６の検査をすべきタイミングであると検出する。
【００３４】
光源ユニット６を交換する場合、交換前後で光源ユニット６が異なることになるため、検査検出部１０１が光源ユニット６の検査をすべきタイミングであると検出することにより、光源検査部１０２は交換後の新しい光源ユニット６の特性を検査することができる。結果として、表示装置１００は交換後の新たな光源ユニット６に適した駆動条件で、光源ユニット６を駆動することができる。
【００３５】
また光源ユニット６を取り外してから再び表示装置１００に取り付ける場合でも、光源ユニット６の特性が変化することがあると考えられる。例えばメンテナンスのために光源ユニット６を取り外し、光源６１に電源を供給するためのコネクタ等に付着した汚れを除去したような場合には、光源６１の内部抵抗が小さくなると考えられる。この場合、交換前後において同じ駆動条件で光源ユニット６を駆動しても、光源６１の光量が変化することも起こりうる。
【００３６】
したがって、交換前後で光源ユニット６が同一であっても検査検出部１０１が光源ユニット６の検査をすべきタイミングであると検出することにより、光源検査部１０２は交換後の光源ユニット６の特性の変化を検査することができる。結果として、表示装置１００はメンテナンス後の光源ユニット６に適した駆動条件で、光源ユニット６を駆動することができる。
【００３７】
なお検査検出部１０１は、光源ユニット６の取り外しの有無によらず、所定のタイミングで光源ユニット６の検査の必要性があると検出するようにしてもよい。ここで「所定のタイミング」は、光源ユニット６の特性の時間変化に基づいて定められる検査タイミングである。具体的な検査タイミングは、光源ユニット６の特性の時間変化等を考慮して実験によって定めればよいが、例えば表示装置１００の駆動時間の累計が所定時間（例えば１０時間）の倍数となるタイミングや、表示装置１００の電源が投入された回数の累計が所定数（例えば５０）の倍数となるタイミング等である。
この他にも、検査検出部１０１は、例えば表示装置１００の電源が投入された直後、電源がオフとなる直前、表示装置１００がスリープモードとなるとき（例えば、表示装置１００が図示しないメカシャッターが閉じているときや、表示装置１００が全ての輝度値が０である画像を投影するとき）に検査をしてもよい。これにより、表示装置１００は、光源ユニット６の経年変化に応じて光源ユニット６の駆動条件を変更することができる。
【００３８】
上述したように、光源検査部１０２は、光源６１の物理特性を検査する。より具体的には、光源検査部１０２は、光源ユニット６を所定の電力で駆動した場合における光源６１の物理特性を測定する。
【００３９】
第１の実施の形態に係る光源検査部１０２は、光源６１の物理特性として、主に光源６１の光量を測定する。このため光源検査部１０２は、光源ユニット６を所定の電力で駆動した場合における光源６１の光量を光量測定部１３に測定させ、その測定結果を光源６１の物理特性として取得する。駆動条件設定部１０３は、光源検査部１０２が取得した光源６１の物理特性に基づいて、光源ユニット６の駆動条件を設定する。以下、駆動条件設定部１０３による光源ユニット６の駆動条件の設定処理について説明する。
【００４０】
［光源ユニット６の駆動条件の設定］
図３は、駆動条件設定部１０３による光源ユニット６の駆動条件の設定処理を説明するための図であり、光源６１を所定の駆動条件で駆動した場合における点灯時間と光量の低下との関係を示すグラフである。ここで「所定の駆動条件」とは、表示装置１００の製造時等に設定される光源６１の標準駆動条件である。
【００４１】
図３において、横軸は光源６１の累積点灯時間、縦軸は光源６１の初期光量（例えば出荷時の光源６１の光量）を基準とした光源光量の割合を示している。また図３において、交換時間Ｔ１は表示装置１００の光源ユニット６を交換した時間を示し、規定時間Ｔ２は表示装置１００の寿命を規定する時間を示している。
【００４２】
図３において、光源６１を標準駆動条件で駆動した場合における累積点灯時間が規定時間Ｔ２に達するときに、光源６１の光量が必要光量となるような累積点灯時間と光量との関係を示す線分を「規定光量関数」としている。ここで「必要光量」とは、表示装置１００が投写型表示装置として機能するために定められた光源６１の光量の下限値であり、具体例としては光源６１の初期光量の５０％である。
【００４３】
第１の実施の形態に係る表示装置１００は、表示装置１００の累積点灯時間が規定時間Ｔ２に到達するとき、光源６１の光量が必要光量となるように設計されている。具体的には、表示装置１００の累積点灯時間が規定時間Ｔ２に達するとき、光源６１の光量は必要光量を確保できるように、表示装置１００の光源６１の光量が規定光量関数を満たすように標準駆動条件が設定されている。
【００４４】
なお、光源ユニット６における光源記憶部６２は、図３に示す光源６１の規定光量関数を、光源６１を標準駆動条件で駆動したときの光源６１の物理特性である光量の時間変化を特性情報として記憶している。
【００４５】
いま、交換時間Ｔ１の時点で光源ユニット６を交換したと仮定する。規定光量関数を参照すると、光源６１を標準駆動条件で駆動した場合、交換時間Ｔ１に光源６１の光量が初期光量の８０％以上でなければ、表示装置１００の累積点灯時間が規定時間Ｔ２に達するときに光源６１の光量は必要光量を確保できないことになる。
【００４６】
図３に示す例では、交換時間Ｔ１の時点で交換した光源ユニット６における光源６１の光量は、初期光量の７０％である。この場合、図３の「交換後推定光量関数」で示すように、規定時間Ｔ２において光源６１の光量は必要光量より少ない光量になってしまうことが予想される。そこで駆動条件設定部１０３は、表示装置１００の累積点灯時間が規定時間Ｔ２に達するとき、光源６１の光量が必要光量を確保できるように、光源ユニット６の駆動条件を変更する。
【００４７】
より具体的には、まず、特性情報取得部１０５は、光源記憶部６２から特性情報を読み出す。駆動条件設定部１０３は、光源検査部１０２が計測した光源６１の光量に基づいて特性情報取得部１０５が取得した特性情報を参照することにより、表示装置１００の累積稼働時間が規定時間Ｔ２に達した場合における光源６１の光量を推定する。駆動条件設定部１０３は、光源６１の初期の物理特性に対する光源６１の現在の物理特性の変化、すなわち図３における規定光量関数の傾きに基づいて、規定時間Ｔ２に達した場合における光源６１の光量を推定する。
【００４８】
一般に、ＬＤの光量を落とすことで、点灯時間に対する光量低下も緩やかになる。そのため、図３に示す例のように、推定の結果、表示装置１００の累積点灯時間が規定時間Ｔ２に達するとき光源６１の光量が必要光量を下回る場合、駆動条件設定部１０３は、光源６１の光量が下がるように駆動条件を変更する。具体的には、駆動条件設定部１０３は、光源６１を駆動するための駆動電力が標準駆動条件で定められる電力よりも低くなるように駆動条件を変更する。これにより、図３の「変更後光量関数」で示すように、規定時間Ｔ２において光源６１の光量を必要光量以上とすることができる。
【００４９】
このように、駆動条件設定部１０３は、光源６１の特性情報を参照して、光源６１の累計点灯時間が規定時間Ｔ２となった場合に光源６１の光量が必要光量を維持するように、光源ユニット６の駆動条件を設定する。これにより、少なくとも表示装置１００に規定された寿命まで、光源６１の光量を必要光量以上で維持することができる。
【００５０】
なお、図３では光源ユニット６の交換によって光源６１の光量が不足する場合の例を示している。一方で、光源ユニット６を交換することによって光源６１の光量が過剰となる場合もありうる。その場合、駆動条件設定部１０３は、光源６１の光量が増加するように駆動条件で定められる駆動電力を増加させてもよい。
【００５１】
図４は、駆動条件設定部１０３による光源ユニット６の駆動条件の設定処理を説明するための別の例を示す図であり、図３と同様に光源６１を所定の駆動条件で駆動した場合における点灯時間と光量の低下との関係を示すグラフである。
【００５２】
図４においても、「交換後推定光量関数」は、光源ユニット６の交換後の光量と点灯時間との関係を示している。図４に示す例では、光源ユニット６を標準駆動条件で点灯させた場合、規定時間Ｔ２では必要光量を上回る光量となることが分かる。そのため、駆動条件設定部１０３は、図４の「変更後光量関数」で示すように、光源６１の光量が増加するように駆動条件を設定する。これにより、表示装置１００は、光源６１の光量が規定光量関数を満たす場合よりも明るい映像を投写することができる。
【００５３】
また図４に示す例では、図中「交換後推定光量関数」で示すように、光源ユニット６を標準駆動条件で点灯させた場合、規定時間Ｔ２では必要光量を上回る光量となることが推定される。このため、駆動条件設定部１０３は光源ユニット６の駆動条件を維持してもよい。これにより、表示装置１００の累積稼働時間が規定時間Ｔ２を超えても、光源６１の光量を必要光量以上とすることができる。
【００５４】
特性格納部１０６は、光源検査部１０２が光量測定部１３に測定させた光源６１の物理特性である光量を、光源記憶部６２に記憶させる。これにより、光源ユニット６が表示装置１００から取り外されて別の表示装置１００に取り付けられた場合、別の表示装置１００は光源６１の物理特性を読み出して使用することができる。
【００５５】
したがって、光源ユニット６が新たに取り付けられた別の表示装置１００は、光源ユニット６の物理特性を測定しなくても、光源記憶部６２に格納された光源ユニット６の最新の物理特性を利用して光源６１の駆動条件を設定することができる。これにより、別の表示装置１００は、光源ユニット６の取り付け時における光源ユニット６の検査工程を省略することができる。さらに、別の表示装置１００が光量測定部１３を備えていなくても、光源ユニット６の最新の物理特性を利用して光源６１の駆動条件を設定できる点で効果がある。
【００５６】
また特性格納部１０６は、光源ユニット６の駆動に関する情報、光源ユニット６の使用履歴情報、光源ユニット６の取り外しの履歴等を光源記憶部６２に格納してもよい。表示装置１００は光源ユニット６の交換の際に、これらの情報を得ることができ、より精度の高い駆動条件を決定することができる。
【００５７】
［第１の実施の形態に係る表示処理フロー］
図５は、第１の実施の形態に係る表示装置１００が実行する表示処理の流れを説明するためのフローチャートである。本フローチャートにおける処理は、例えば表示装置１００の電源が投入されたときに開始する。
【００５８】
操作パネル１１の起動ボタンが操作されて表示装置１００が起動すると、検査検出部１０１は、光源ユニット６が取り外されたか否かを検出する（Ｓ１０１）。検査検出部１０１は、例えば光源記憶部６２に格納された光源ユニット６の取り外し履歴を確認することで、光源ユニット６の取り外しの検出を実現する。
【００５９】
例えば、光源ユニット６の交換の際に表示装置１００から取り外すと、取り外し検出部１４は、光源ユニット６が取り外されたことを示す信号を検査検出部１０１に通知する。検査検出部１０１はその信号を記憶しておく。場合によっては、検査検出部１０１は、本体記憶部１２に光源ユニット６が取り外された履歴を記憶したり、光源記憶部６２に光源ユニット６が取り外された履歴を記憶したりしてもよい。検査検出部１０１はこの履歴を利用して、光源ユニット６が交換されたか否かを検出することができる。別の手法として、表示装置１００の使用者が操作パネル１１を介して光源ユニット６を交換したことを設定することにより、光源ユニット６の取り外し履歴を表示装置１００に残してもよい。
【００６０】
光源ユニット６が取り外された場合（Ｓ１０２のＹｅｓ）、表示装置１００は検査モードで起動する（Ｓ１０３）。表示装置１００が検査モードで起動すると、光源検査部１０２は、光源ユニット６の検査として、取り外し検出部１４に光源６１の光量測定を実行させる。より具体的には、駆動制御部１０４は光源駆動部５に指令を出して光源６１を標準駆動条件で点灯させ、光源検査部１０２は光量測定部１３が測定した光源６１の光量を取得する（Ｓ１０４）。
【００６１】
駆動条件設定部１０３は、特性情報取得部１０５が光源記憶部６２から取得した光源６１の特性情報と、光源検査部１０２が取得した光源６１の光量とに基づいて、光源ユニット６の駆動条件を設定する（Ｓ１０５）。駆動条件設定部１０３が光源ユニット６の駆動条件を設定するか、あるいは光源ユニット６が取り外されていない場合（Ｓ１０２のＮｏ）、本フローチャートにおける処理は終了する。
【００６２】
以上説明したように、第１の実施の形態に係る表示装置１００によれば、光源６１の状態に応じて駆動条件を設定することができる。
特に、光源ユニット６が取り付けられたときに取り付け後の光源６１の特性に基づいて光源ユニット６の駆動条件を設定することにより、表示装置１００が駆動対象とする光源ユニット６の特性を駆動条件に直接的に反映することができる。
【００６３】
また第１の実施の形態に係る光源ユニット６は、光源６１の特性情報や光源６１の最新の検査結果を格納する光源記憶部６２を備える。このため、光源ユニット６が新たに取り付けられた表示装置１００は、光源６１を検査しなくても、光源６１の状態に応じた駆動条件を設定することができる。
【００６４】
＜第１の変形例＞
上記では、光源６１の物理特性が光源６１を標準駆動条件で駆動した場合における光源６１の光量の時間変化であることについて主に説明した。しかしながら、光源６１の物理特性は光源６１の光量の時間変化である場合には限られない。
【００６５】
例えば、光源６１を標準駆動条件で駆動して定常状態となった場合における光源６１の電流や光源６１の温度の時間変化であってもよいし、光源６１の色味の時間変化であってもよい。駆動条件設定部１０３は、光源記憶部６２に格納された特性情報を参照して、光源６１の累計点灯時間が規定時間Ｔ２となった場合に光源６１の物理特性が所定の値を維持するように、光源ユニット６の駆動条件を設定すればよい。
【００６６】
＜第２の変形例＞
上記では、光源ユニット６が交換されたか否かについて、取り外し検出部１４が光源ユニット６の取り外しを検出することによって判定する場合について説明した。これに代えて、検査検出部１０１は、特性情報取得部１０５が光源記憶部６２から読み出した光源ユニット６固有の識別情報に基づいて、光源ユニット６が交換されたか否かを検出してもよい。なお、前回までの識別情報については、特性格納部１０６が、表示装置１００の投射終了処理のシーケンスで、本体記憶部１２にその都度読み出した識別情報を記録しておけばよい。
【００６７】
具体的には、表示装置１００のコンセントＣから電源が供給されたとき、あるいは使用者が表示装置１００の起動ボタンにて表示装置１００の電源を投入したときに、特性情報取得部１０５は光源記憶部６２から光源ユニット６固有の識別情報を読み出す。検査検出部１０１は、特性情報取得部１０５が読み出した識別情報と、前回までの識別情報とを比較し、両者が同じであれば光源ユニット６は交換されていないと判定する。これにより、光源ユニット６の交換の検出に取り外し検出部１４が不要となるため、表示装置１００のコストや重量を削減することができる。
【００６８】
＜第３の変形例＞
上記では、光源検査部１０２は、検査検出部１０１が光源ユニット６の検査をすべきタイミングであると検出したときに、光源６１の物理特性を検査する場合について説明した。これに代えて、光源検査部１０２は、検査検出部１０１の検出結果に関わらず、光源６１の物理特性の検査をしてもよい。より具体的には、光源検査部１０２は、表示装置１００が起動しているときであればいつでも光源６１の物理特性の検査をするようにしてもよい。これにより、光源検査部１０２は、光源６１の物理特性の変化をより早い時期に検出することが可能となる。
【００６９】
＜第２の実施の形態＞
第２の実施の形態に係る表示装置１００は、第１の実施の形態に係る１００と比較して、光源ユニット６が光源記憶部６２を備えていない点で相違する。以下、第１の実施の形態に係る１００と共通する部分については、適宜省略又は簡略化して説明する。
【００７０】
第２の実施の形態に係る光源ユニット６は光源記憶部６２を備えないため、特性情報取得部１０５は、光源記憶部６２から光源６１の特性情報を取得することができない。その代わり、本体記憶部１２には、光源６１の一般的な特性情報が格納されている。駆動条件設定部１０３は、特性情報取得部１０５が本体記憶部１２から読み出した一般的な特性情報と、光源検査部１０２が取得した光源６１の物理特性とに基づいて、光源６１の駆動条件を設定する。駆動条件の決定に参照する特性情報が一般的なものとなるものの、第２の実施の形態に係る表示装置１００は、光源の状態に応じて光源の駆動条件を設定することができる。光源ユニット６から光源記憶部６２を省略できるため、光源ユニット６のコストや重量を削減することができる。
【００７１】
以上、本発明の実施の形態、いくつかの実施の形態、及びいくつかの変形例をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００７２】
５・・・光源駆動部
１００・・・表示装置
１０１・・・検査検出部
１０２・・・光源検査部
１０３・・・駆動条件設定部
【図１】
2017227707.tif 000003
【図２】
2017227707.tif 000004
【図３】
2017227707.tif 000005
【図４】
2017227707.tif 000006
【図５】
2017227707.tif 000007